(57)【要約】【課題】従来と比較して所望のヒストリ見出語を見つけ易くする。【解決手段】電子辞書1は各見出語に説明情報を対応付けてなる辞書情報を記憶する辞書データベース84と、ユーザ操作に基づいて辞書データベース84における見出語を指定する入力部30と、指定見出語に対応する説明情報を辞書データベース84から検索するＣＰＵ20と、検索された説明情報を表示するメインディスプレイ10と、説明情報の検索された見出語と検索年月日とを対応付けて蓄積記憶するヒストリテーブル86と、カレンダを表示するサブディスプレイ11と、ユーザ操作に基づいてカレンダ中の何れかの暦項目を指定暦項目として指定するタッチパネル110とを備える。メインディスプレイ10は記憶された見出語を一覧表示し、ＣＰＵ20は指定暦項目に対応する検索年月日に対応付けて記憶された見出語をメインディスプレイ10に表示させる。【選択図】図3
2008210194.tif 000002
【特許請求の範囲】
【請求項１】
各見出語に説明情報を対応付けてなる辞書情報を記憶する辞書記憶手段と、
ユーザ操作に基づいて前記辞書情報における何れかの見出語を指定見出語として指定する見出語指定手段と、
前記指定見出語に対応する説明情報を前記辞書情報から検索する検索手段と、
前記検索手段により検索された説明情報を表示する表示手段と、
前記検索手段により説明情報の検索された見出語と、検索年月日とを対応付けて蓄積記憶するヒストリ記憶手段と、
前記ヒストリ記憶手段に記憶された見出語を一覧表示するヒストリ見出語一覧表示手段と、
カレンダを表示するカレンダ表示手段と、
ユーザ操作に基づいて前記カレンダにおける何れかの暦項目を指定暦項目として指定する暦項目指定手段と、
前記指定暦項目に対応する検索年月日に対応付けて前記ヒストリ記憶手段に記憶された見出語を前記ヒストリ見出語一覧表示手段に表示させるヒストリ見出語表示制御手段と、
を備えることを特徴とする情報表示装置。
【請求項２】
請求項１記載の情報表示装置において、
前記カレンダ表示手段は、
前記ヒストリ記憶手段に記憶された検索年月日に基づいて、前記カレンダにおける各日付のうち、当該検索年月日に対応する日付を識別表示する検索日識別表示手段を有することを特徴とする情報表示装置。
【請求項３】
請求項１または２記載の情報表示装置において、
前記辞書記憶手段は、
複数種類の前記辞書情報を記憶しており、
前記ヒストリ記憶手段は、
前記検索手段により各辞書情報から説明情報の検索された見出語と、検索年月日とを対応付けて記憶する複数辞書ヒストリ記憶手段を有することを特徴とする情報表示装置。
【請求項４】
請求項３記載の情報表示装置において、
各辞書情報の種類と、当該辞書情報のジャンルとを対応付けて記憶するジャンル情報記憶手段を備え、
前記複数辞書ヒストリ記憶手段は、
前記検索手段により各辞書情報から説明情報の検索された見出語と、この説明情報の検索された前記辞書情報の種類と、検索年月日とを対応付けて記憶する辞書種類ヒストリ記憶手段を有し、
前記カレンダ表示手段は、
前記ヒストリ記憶手段に記憶された前記辞書情報の種類と検索年月日とに基づいて、前記カレンダにおける各日付のうち、当該検索年月日に対応する日付を前記辞書情報のジャンル別に識別表示するジャンル別検索日識別表示手段を有することを特徴とする情報表示装置。
【請求項５】
請求項１〜４の何れか一項に記載の情報表示装置において、
前記暦項目指定手段は、
ユーザ操作に基づいて前記カレンダ中の年、月、日、週及び曜日をそれぞれ前記指定暦項目として指定可能であることを特徴とする情報表示装置。
【請求項６】
コンピュータに、
各見出語に説明情報を対応付けてなる辞書情報を記憶する辞書記憶機能と、
ユーザ操作に基づいて前記辞書情報における何れかの見出語を指定見出語として指定する見出語指定機能と、
前記指定見出語に対応する説明情報を前記辞書情報から検索する検索機能と、
前記検索機能により検索された説明情報を表示する表示機能と、
前記検索機能により説明情報の検索された見出語と、検索年月日とを対応付けて蓄積記憶するヒストリ記憶機能と、
前記ヒストリ記憶機能によって記憶された見出語を一覧表示するヒストリ見出語一覧表示機能と、
カレンダを表示するカレンダ表示機能と、
ユーザ操作に基づいて前記カレンダにおける何れかの暦項目を指定暦項目として指定する暦項目指定機能と、
前記指定暦項目に対応する検索年月日に対応付けて前記ヒストリ記憶機能により記憶された見出語を、前記ヒストリ見出語一覧表示機能に表示させるヒストリ見出語表示制御機能と、
を実現させることを特徴とする情報表示プログラム。
【発明の詳細な説明】
【技術分野】
【０００１】
本発明は、情報表示装置及び情報表示プログラムに関する。
【背景技術】
【０００２】
従来から、国語辞典、英和辞典、和英辞典等の辞書データベースが組み込まれた電子辞書等の情報表示装置には、ユーザが所望する情報を効率良く検索するための様々な機能が備えられている。このような機能として、いわゆるヒストリ機能がある。
【０００３】
ヒストリ機能とは、検索された見出語をヒストリ見出語として蓄積記憶しておき、ユーザ操作に基づいてヒストリ見出語を一覧表示し、何れかのヒストリ見出語が選択されると、当該ヒストリ見出語について再検索を行う機能である。このヒストリ機能によれば、ユーザは、過去に検索したことのあるヒストリ見出語の検索を再度行う場合に、その語句を入力することなく検索を行うことができる。
【０００４】
近年、このようなヒストリ機能に関する技術として、検索された見出語を時間割に対応付けて記憶しておき、ユーザが時間割中の時間帯を指定すると、当該時間帯に検索されたヒストリ見出語が一覧表示される技術がある（例えば、特許文献１参照）。
【特許文献１】特開２００５−２９３３１８号公報
【発明の開示】
【発明が解決しようとする課題】
【０００５】
しかしながら、上記特許文献１記載の技術では、指定の時間帯に検索されたヒストリ見出語が年月日とは無関係に一覧表示されるため、不要な年月日のヒストリ見出語まで表示される分、所望のヒストリ見出語が見つけにくくなってしまう。
【０００６】
本発明の課題は、従来と比較して、所望のヒストリ見出語を見つけ易くすることができる情報表示装置及び情報表示プログラムを提供することである。
【課題を解決するための手段】
【０００７】
請求項１記載の発明は、情報表示装置において、
各見出語に説明情報を対応付けてなる辞書情報を記憶する辞書記憶手段と、
ユーザ操作に基づいて前記辞書情報における何れかの見出語を指定見出語として指定する見出語指定手段と、
前記指定見出語に対応する説明情報を前記辞書情報から検索する検索手段と、
前記検索手段により検索された説明情報を表示する表示手段と、
前記検索手段により説明情報の検索された見出語と、検索年月日とを対応付けて蓄積記憶するヒストリ記憶手段と、
前記ヒストリ記憶手段に記憶された見出語を一覧表示するヒストリ見出語一覧表示手段と、
カレンダを表示するカレンダ表示手段と、
ユーザ操作に基づいて前記カレンダにおける何れかの暦項目を指定暦項目として指定する暦項目指定手段と、
前記指定暦項目に対応する検索年月日に対応付けて前記ヒストリ記憶手段に記憶された見出語を前記ヒストリ見出語一覧表示手段に表示させるヒストリ見出語表示制御手段と、
を備えることを特徴とする。
【０００８】
請求項２記載の発明は、請求項１記載の情報表示装置において、
前記カレンダ表示手段は、
前記ヒストリ記憶手段に記憶された検索年月日に基づいて、前記カレンダにおける各日付のうち、当該検索年月日に対応する日付を識別表示する検索日識別表示手段を有することを特徴とする。
【０００９】
請求項３記載の発明は、請求項１または２記載の情報表示装置において、
前記辞書記憶手段は、
複数種類の前記辞書情報を記憶しており、
前記ヒストリ記憶手段は、
前記検索手段により各辞書情報から説明情報の検索された見出語と、検索年月日とを対応付けて記憶する複数辞書ヒストリ記憶手段を有することを特徴とする。
【００１０】
請求項４記載の発明は、請求項３記載の情報表示装置において、
各辞書情報の種類と、当該辞書情報のジャンルとを対応付けて記憶するジャンル情報記憶手段を備え、
前記複数辞書ヒストリ記憶手段は、
前記検索手段により各辞書情報から説明情報の検索された見出語と、この説明情報の検索された前記辞書情報の種類と、検索年月日とを対応付けて記憶する辞書種類ヒストリ記憶手段を有し、
前記カレンダ表示手段は、
前記ヒストリ記憶手段に記憶された前記辞書情報の種類と検索年月日とに基づいて、前記カレンダにおける各日付のうち、当該検索年月日に対応する日付を前記辞書情報のジャンル別に識別表示するジャンル別検索日識別表示手段を有することを特徴とする。
【００１１】
請求項５記載の発明は、請求項１〜４の何れか一項に記載の情報表示装置において、
前記暦項目指定手段は、
ユーザ操作に基づいて前記カレンダ中の年、月、日、週及び曜日をそれぞれ前記指定暦項目として指定可能であることを特徴とする。
【００１２】
請求項６記載の発明は、情報表示プログラムにおいて、
コンピュータに、
各見出語に説明情報を対応付けてなる辞書情報を記憶する辞書記憶機能と、
ユーザ操作に基づいて前記辞書情報における何れかの見出語を指定見出語として指定する見出語指定機能と、
前記指定見出語に対応する説明情報を前記辞書情報から検索する検索機能と、
前記検索機能により検索された説明情報を表示する表示機能と、
前記検索機能により説明情報の検索された見出語と、検索年月日とを対応付けて蓄積記憶するヒストリ記憶機能と、
前記ヒストリ記憶機能によって記憶された見出語を一覧表示するヒストリ見出語一覧表示機能と、
カレンダを表示するカレンダ表示機能と、
ユーザ操作に基づいて前記カレンダにおける何れかの暦項目を指定暦項目として指定する暦項目指定機能と、
前記指定暦項目に対応する検索年月日に対応付けて前記ヒストリ記憶機能により記憶された見出語を、前記ヒストリ見出語一覧表示機能に表示させるヒストリ見出語表示制御機能と、
を実現させることを特徴とする。
【発明の効果】
【００１３】
本発明によれば、検索手段により説明情報の検索された見出語と、検索年月日とが対応付けて蓄積記憶され、ユーザ操作に基づいてカレンダ中の何れかの暦項目が指定暦項目として指定されると、指定暦項目に対応する検索年月日に対応付けて記憶された見出語が表示されるので、従来と異なり、不要な検索年月日のヒストリ見出語が表示されるのを防ぐことができる。従って、従来と比較して、所望のヒストリ見出語を見つけ易くすることができる。
【発明を実施するための最良の形態】
【００１４】
以下、図面を参照して、本発明に係る情報表示装置を電子辞書に適用した場合の実施形態について詳細に説明する。
【００１５】
まず、電子辞書の構成を説明する。
［外観構成］
図１は、電子辞書１の平面図である。
この図に示すように、電子辞書１は、メインディスプレイ１０、サブディスプレイ１１及びキー群２を備えている。
【００１６】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescent Display）等によって構成されている。なお、本実施の形態におけるサブディスプレイ１１は、図２に示すように、月単位のカレンダを表示可能となっている。また、このサブディスプレイ１１は、いわゆるタッチパネル１１０（図３参照）と一体的に形成されており、表面を押下することにより、押下位置に応じた入力操作が可能となっている。
【００１７】
キー群２は、ユーザが電子辞書１を操作するための各種キーを有している。具体的には、キー群２は、訳／決定キー２ｂと、文字キー２ｃと、辞書選択キー２ｄと、カーソルキー２ｅと、シフトキー２ｆと、戻るキー２ｇと、ヒストリキー２ｍ等とを有している。
【００１８】
訳／決定キー２ｂは、検索の実行や、見出語の決定等に使用されるキーである。文字キー２ｃは、ユーザによる文字の入力等に使用されるキーであり、本実施の形態においては“Ａ”〜“Ｚ”キーを備えている。辞書選択キー２ｄは、後述の辞書データベース８４，…（図２参照）の選択に使用されるキーである。
【００１９】
カーソルキー２ｅは、画面内の反転表示位置、つまりカーソル位置の移動等に使用されるキーであり、本実施の形態においては上下左右の方向を指定可能となっている。シフトキー２ｆは、日本語の単語を検索対象に設定するとき等に使用されるキーである。戻るキー２ｇは、前回表示した画面に戻るとき等に使用されるキーである。
【００２０】
ヒストリキー２ｍは、後述のヒストリテーブル８６（図３参照）に蓄積記憶されたヒストリ見出語のうち、現在選択中の辞書データベース８４から検索されたヒストリ見出語を一覧表示するとき等に使用されるキーである。また、このヒストリキー２ｍは、シフトキー２ｆと組み合わせて操作されることにより「全ヒストリキー」として機能し、ヒストリテーブル８６に蓄積記憶された全てのヒストリ見出語を言語系のジャンル別に分類する等して一覧表示させるようになっている。
【００２１】
［内部構成］
続いて、電子辞書１の内部構造について説明する。図３は、電子辞書１の内部構成を示すブロック図である。
【００２２】
この図に示すように、電子辞書１は、表示部４０、入力部３０、ＣＰＵ（Central Processing Unit）２０、フラッシュＲＯＭ（Read Only Memory）８０、ＲＡＭ（Random Access Memory）９０を備え、各部はバス１００で相互にデータ通信可能に接続されて構成されている。
【００２３】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２４】
入力部３０は、上述のキー群２やタッチパネル１１０を備えており、押下されたキーやタッチパネル１１０の位置に対応する信号をＣＰＵ２０に出力するようになっている。
【００２５】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００２６】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８１と、辞書データベース群８２と、ヒストリテーブル８６と、ジャンル情報テーブル８７等とを記憶している。
【００２７】
情報表示プログラム８１は、後述の辞書検索処理（図８〜図９参照）をＣＰＵ２０に実行させるためのプログラムである。
【００２８】
辞書データベース群８２は、複数の辞書データベース８４，…を有しており、本実施の形態においては、国語辞典の辞書データベース８４ａや百科辞典の辞書データベース８４ｂ、英和辞典の辞書データベース８４ｃ、和英辞典の辞書データベース８４ｄ、独和辞典の辞書データベース８４ｅ、日中辞典の辞書データベース８４ｆ、韓日辞典の辞書データベース８４ｇ、中国語辞典の辞書データベース８４ｈ等を有している。
【００２９】
これら辞書データベース８４には、例えば図４に１例を示すように、複数の見出語に対して、この見出語の発音記号及び意味内容からなる説明情報や、見出語の例文（用例）を識別するための用例番号、見出語を含む熟語を識別するための熟語番号，成句・複合語を識別するための複合語番号などが対応付けされて格納されている。また、辞書データベース８４には、例えば図５（ａ）〜（ｂ）に１例を示すように、上述の用例番号に例文と、その対訳が対応付けられたテーブルや、上述の複合語番号に成句・複合語と、当該成句・複合語の説明情報とが対応付けられたテーブル、上述の熟語番号に熟語と、当該熟語の説明情報とが対応付けられたテーブル等が格納されている。
【００３０】
ヒストリテーブル８６には、図６に示すように、各辞書データベース８４，…から説明情報の検索された見出語がヒストリ見出語として検索順に蓄積記憶されるようになっている。また、このヒストリテーブル８６では、各ヒストリ見出語に対して、説明情報の検索された辞書データベース８４の辞書名と、当該ヒストリ見出語の検索年月日とが対応付けらて記憶されるようになっている。
【００３１】
ジャンル情報テーブル８７は、図７に示すように、「国語系」や「欧米語系」、「アジア語系」などの言語系の各ジャンルに対し、当該ジャンルに属する言語で見出語または説明情報が記載された辞書データベース８４の辞書名を対応付けて記憶している。
【００３２】
具体的には、本実施の形態におけるジャンル情報テーブル８７においては、「国語系」のジャンルに対して、国語辞典の辞書データベース８４ａの辞書名「国語」や、百科辞典の辞書データベース８４ｂの辞書名「百科」が対応付けられており、「欧米語系」のジャンルに対して、英和辞典の辞書データベース８４ｃの辞書名「英和」や、和英辞典の辞書データベース８４ｄの辞書名「和英」、独和辞典の辞書データベース８４ｅの辞書名「独和」が対応付けられており、「アジア語系」のジャンルに対して、日中辞典の辞書データベース８４ｆの辞書名「日中」や、韓日辞典の辞書データベース８４ｇの辞書名「韓日」、中国語辞典の辞書データベース８４ｈの辞書名「中国語」が対応付けられている。
【００３３】
ＲＡＭ９０は、ＣＰＵ２０が実行する各種プログラムや、これらプログラムの実行に係るデータ等を一時的に保持するメモリ領域を備えている。このＲＡＭ９０は、本実施の形態においては、選択辞書記憶領域９１、入力文字記憶領域９２、指定見出語記憶領域９３及びヒストリ見出語展開領域９４ａ〜９４ｄを備えている。
【００３４】
ここで、選択辞書記憶領域９１には、見出語の検索対象としてユーザにより選択された辞書データベース８４の辞書名が格納されるようになっており、入力文字記憶領域９２には、ユーザにより入力された入力文字が格納されるようになっている。また、指定見出語記憶領域９３には、辞書引きする対象の見出語としてユーザによって選択指定された指定見出語が記憶されるようになっている。なお、本実施の形態における指定見出語は、本実施の形態においては、入力文字や指定文字に前方一致するようアルファベット順或いは五十音順に辞書データベースから読み出された見出語の一覧から選択されるようになっている。
【００３５】
また、ヒストリ見出語展開領域９４ａ〜９４ｄには、後述の辞書検索処理（図８〜図９参照）においてヒストリテーブル８６から読み出されたヒストリ見出語、辞書名及び検索年月日がリスト化されて格納されるようになっている。
【００３６】
［動作］
続いて、電子辞書１の動作について説明する。
図８〜図９は、ＣＰＵ２０が情報表示プログラム８１を読み出して実行する辞書検索処理の流れを示すフローチャートである。
【００３７】
まず図８に示すように、ユーザによってキー群２における何れかのキーが操作されると（ステップＳ１），ＣＰＵ２０は、操作されたのが辞書選択キー２ｄであるか否かを判定し（ステップＳ２）、辞書選択キー２ｄであると判定した場合（ステップＳ２；Ｙｅｓ）には、辞書選択キー２ｄに対応する辞書データベース８４を選択して、その辞書名を選択辞書記憶領域９１に記憶させる（ステップＳ３）。
【００３８】
次に、ユーザによって検索文字列が入力されると（ステップＳ４）、ＣＰＵ２０は、当該検索文字列を入力文字記憶領域９２に記憶させた後、入力された検索文字列に対応する見出語の候補を、選択された辞書データベース８４の中から検索し、検出された各見出語をメインディスプレイ１０に一覧表示させる（ステップＳ５）。
【００３９】
次に、カーソルキー２ｅを介して何れかの見出語がユーザによって選択されると（ステップＳ６）、ＣＰＵ２０は、当該見出語の説明情報を、選択された辞書データベース８４の中から検索してメインディスプレイ１０に全画面表示させた後（ステップＳ７）、選択辞書記憶領域９１に記憶された辞書名と、選択された見出語と、当該見出語の検索を行った年月日、つまり現時点での年月日とを対応付けてヒストリテーブル８６に記憶させ（ステップＳ８）、上述のステップＳ１に移行する。
【００４０】
また、ステップＳ２において操作キーが辞書選択キー２ｄではないと判定した場合（ステップＳ２；Ｎｏ）には、ＣＰＵ２０は、図９に示すように、操作されたのがヒストリキー２ｍであるか否かを判定し（ステップＳ１１）、ヒストリキー２ｍであると判定した場合（ステップＳ１１；Ｙｅｓ）には、ヒストリテーブル８６中の各ヒストリ見出語のうち、現在選択中の辞書データベース８４の辞書名に対応するヒストリ見出語と、各ヒストリ見出語に対応する辞書名及び検索年月日とを読み出してヒストリ見出語展開領域９４ａに記憶させた後、図１０（ａ）に示すように、記憶されたヒストリ見出語及び検索年月日のリストを検索年月日の新しい順でメインディスプレイ１０に表示させる（ステップＳ１２）。なお、図１０（ａ）では、英和辞典の辞書データベース８４ｃが現在選択中である場合の表示内容を図示している。
【００４１】
次に、ＣＰＵ２０は、例えば図１０（ｂ）に示すように、現時点の年月日を含むカレンダをサブディスプレイ１１に表示させるとともに、当該カレンダにおける各日付のうち、ヒストリ見出語展開領域９４ａ中の各検索年月日に対応する日付部分を識別表示させる（ステップＳ１３）。なお、本実施の形態においては、検索履歴マークＭを付記することによって日付部分を識別表示することとして説明するが、当該日付部分に下線や傍点を付記して識別表示することとしても良いし、当該日付部分を太字や斜字体で示して識別表示することとしても良い。
【００４２】
次に、ＣＰＵ２０は、ユーザがカレンダにタッチしたか否か、つまりサブディスプレイ１１のタッチパネル１１０を介してカレンダ中の何れかの暦項目（年、月、日、週、曜日）を選択したか否かを判定し（ステップＳ１４）、タッチしないと判定した場合（ステップＳ１４；Ｎｏ）には、ユーザによるカーソルキー２ｅや訳／決定キー２ｂの操作によって何れかのヒストリ見出語が選択されるか否かを判定する（ステップＳ１５）。
【００４３】
そして、このステップＳ１５において何れかのヒストリ見出語が選択されたと判定した場合（ステップＳ１５；Ｙｅｓ）には、上述のステップＳ７に移行し、選択されないと判定した場合（ステップＳ１５；Ｎｏ）には、他の処理へ移行する。
【００４４】
また、ステップＳ１４においてユーザがカレンダにタッチしたと判定した場合（ステップＳ１４；Ｙｅｓ）には、ＣＰＵ２０は、タッチ場所の暦項目に対応する検索年月日に絞って、ヒストリ見出語展開領域９４ａ中のヒストリ見出語及び検索年月日をメインディスプレイ１０に改めて表示させた後（ステップＳ１６）、上述のステップＳ１５に移行する。
【００４５】
例えば、図１１（ａ）に示すように、年を示す暦項目「２００６」（年）の部分がユーザにタッチされた場合には、図１１（ｂ）に示すように、メインディスプレイ１０に表示されるヒストリ見出語等は、２００６年に検索されたものに絞られる。
【００４６】
また、図１２（ａ）に示すように、２００６年１２月のカレンダが表示された状態で、月を示す暦項目「１２」（月）の部分がユーザにタッチされた場合には、図１２（ｂ）に示すように、メインディスプレイ１０に表示されるヒストリ見出語等は、２００６年１２月に検索されたものに絞られる。
【００４７】
また、図１３（ａ）に示すように、２００６年１２月のカレンダが表示された状態で、週を示す暦項目「◆」のうち、上から２つ目の部分がユーザにタッチされた場合には、図１３（ｂ）に示すように、メインディスプレイ１０に表示されるヒストリ見出語等は、当該週（図では２００６年１２月の第２週）に検索されたものに絞られる。
【００４８】
また、図１４（ａ）に示すように、２００６年１２月のカレンダが表示された状態で、曜日を示す暦項目「日」（曜日）の部分がユーザにタッチされた場合には、図１４（ｂ）に示すように、メインディスプレイ１０に表示されるヒストリ見出語等は、２００６年１２月の日曜日に検索されたものに絞られる。
【００４９】
また、図１５（ａ）に示すように、２００６年１２月のカレンダが表示された状態で、日を示す暦項目「１１」（日）の部分がユーザにタッチされた場合には、図１５（ｂ）に示すように、メインディスプレイ１０に表示されるヒストリ見出語等は、当該日（図では２００６年１２月１１日）に検索されたものに絞られる。
【００５０】
なお、ステップＳ１６において、カレンダの端部に示される矢印記号（図１１（ａ）等参照）がユーザにタッチされた場合には、ＣＰＵ２０はカレンダの年や月などを変更するようになっている。また、上述の図１１（ａ）等では、検索履歴マークＭの図示を省略している。
【００５１】
また、上述のステップＳ１１において操作キーがヒストリキー２ｍではないと判定した場合（ステップＳ１１；Ｎｏ）には、ＣＰＵ２０は、操作されたのが「全ヒストリキー」であるか否か、つまりヒストリキー２ｍ及びシフトキー２ｆであるか否かを判定し（ステップＳ２１）、「全ヒストリキー」ではないと判定した場合（ステップＳ２１；Ｎｏ）には他の処理へ移行する。
【００５２】
また、ステップＳ２１において操作キーが「全ヒストリキー」であると判定した場合（ステップＳ２１；Ｙｅｓ）には、ＣＰＵ２０は、ヒストリテーブル８６中の全てのヒストリ見出語と、各ヒストリ見出語に対応する辞書名及び検索年月日とを読み出した後、ジャンル情報テーブル８７を参照することにより、辞書名をキーとしてヒストリ見出語等を「国語系」、「欧米語系」、「アジア語系」のジャンルに分類してヒストリ見出語展開領域９４ａ〜９４ｃの何れかに記憶させ、各ヒストリ見出語展開領域９４ａ〜９４ｃに記憶されたヒストリ見出語、辞書名及び検索年月日のリストをそれぞれ検索年月日の新しい順でメインディスプレイ１０にタブ表示させる（ステップＳ２２）。
【００５３】
具体的には、ＣＰＵ２０は、辞書名「国語」及び「百科」に対応するヒストリ見出語等をヒストリ見出語展開領域９４ａに記憶させ、記憶されたヒストリ見出語等を「国語系」のタブに対応付けて検索年月日の新しい順に表示させる。また、辞書名「英和」、「和英」及び「独和」に対応するヒストリ見出語等をヒストリ見出語展開領域９４ｂに記憶させ、記憶されたヒストリ見出語等を「欧米語系」のタブに対応付けて検索年月日の新しい順に表示させる。また、辞書名「日中」、「韓日」及び「中国語」に対応するヒストリ見出語等をヒストリ見出語展開領域９４ｃに記憶させ、記憶されたヒストリ見出語等を「アジア語系」のタブに対応付けて検索年月日の新しい順にタブ表示させる。
【００５４】
また、このときＣＰＵ２０は、ヒストリテーブル８６中の全てのヒストリ見出語等を読み出してヒストリ見出語展開領域９４ｄに記憶させ、記憶されたヒストリ見出語等を「全ジャンル」のタブに対応付けて検索年月日の新しい順でメインディスプレイ１０に表示させる。
【００５５】
これにより、図１６（ａ）〜（ｄ）に示すように、ユーザはカーソルキー２ｅ等を操作してタブを選択することにより「国語系」、「欧米語系」、「アジア語系」及び「全ジャンル」の各リストを表示させることが可能となる。
【００５６】
次に、ＣＰＵ２０は、図１６（ｅ）に示すように、現時点の年月日を含むカレンダをサブディスプレイ１１に表示させるとともに、当該カレンダにおける各日付のうち、ヒストリ見出語展開領域９４ａ〜９４ｃ中の各検索年月日に対応する日付部分を辞書データベース８４のジャンル別に識別表示させる（ステップＳ２３）。
【００５７】
より詳細には、ＣＰＵ２０は、ヒストリ見出語展開領域９４ａ中の各検索年月日に対応するカレンダの日付部分に対しては「国語系」のジャンルを示す検索履歴マークＭ１を付記させ、ヒストリ見出語展開領域９４ｂ中の各検索年月日に対応するカレンダの日付部分に対しては「欧米語系」のジャンルを示す検索履歴マークＭ２を付記させ、ヒストリ見出語展開領域９４ｃ中の各検索年月日に対応するカレンダの日付部分に対しては「アジア語系」のジャンルを示す検索履歴マークＭ３を付記させる。なお、このとき、ＣＰＵ２０は、日付部分に下線や傍点を付記して識別表示することとしても良いし、当該日付部分を太字や斜字体で示して識別表示することとしても良い。
【００５８】
次に、ＣＰＵ２０は、ユーザがカレンダにタッチしたか否か、つまりサブディスプレイ１１のタッチパネル１１０を介してカレンダ中の何れかの暦項目（年、月、日、週、曜日）を選択したか否かを判定し（ステップＳ２４）、タッチしないと判定した場合（ステップＳ２４；Ｎｏ）には、ユーザによって何れかのヒストリ見出語が選択されるか否かを判定する（ステップＳ２５）。
【００５９】
そして、このステップＳ２５において何れかのヒストリ見出語が選択されたと判定した場合（ステップＳ２５；Ｙｅｓ）には、上述のステップＳ７に移行し、選択されないと判定した場合（ステップＳ２５；Ｎｏ）には、他の処理へ移行する。
【００６０】
また、上述のステップＳ２４においてユーザがカレンダにタッチしたと判定した場合（ステップＳ２４；Ｙｅｓ）には、ＣＰＵ２０は、タッチ場所の暦項目に対応する検索年月日のヒストリ見出語に絞って、リストの表示されているヒストリ見出語展開領域９４ａ〜９４ｄにおけるヒストリ見出語等をメインディスプレイ１０に改めて表示させた後（ステップＳ２６）、上述のステップＳ２５に移行する。
【００６１】
以上の電子辞書１によれば、図８のステップＳ８や、図９のステップＳ１６、図１１〜図１６等に示したように、説明情報の検索された見出語と、検索年月日とが対応付けてヒストリテーブル８６に蓄積記憶され、ユーザ操作に基づいてカレンダ中の何れかの暦項目が指定暦項目として指定されると、指定暦項目に対応する検索年月日に対応付けて記憶された見出語が表示されるので、従来と異なり、不要な検索年月日のヒストリ見出語が表示されるのを防ぐことができる。従って、従来と比較して、所望のヒストリ見出語を見つけ易くすることができる。
【００６２】
また、図９のステップＳ１３や図１０ｂ等に示したように、カレンダにおける各日付のうち、ヒストリテーブル８６に記憶された検索年月日に対応する日付が識別表示されるので、何れの暦項目を指定すれば良いかを把握し易くすることができる。従って、所望のヒストリ見出語をいっそう見つけ易くすることができる。
【００６３】
また、図８のステップＳ８や図６に示したように、各辞書データベース８４から説明情報の検索された見出語と、検索年月日とが対応付けてヒストリテーブル８６に記憶されるので、複数種類の辞書データベース８４から説明情報が検索される場合であっても、所望のヒストリ見出語を見つけ易くすることができる。
【００６４】
また、図８のステップＳ８や図９のステップＳ２３、図１６に示したように、各辞書データベース８４から説明情報の検索された見出語と、この説明情報の検索された辞書データベース８４の辞書名（種類）と、検索年月日とが対応付けて記憶され、記憶された辞書データベース８４の辞書名と検索年月日とに基づいて、カレンダにおける各日付のうち、当該検索年月日に対応する日付が辞書データベース８４のジャンル別に識別表示されるので、当該ジャンルを参照することによって、何れの暦項目を指定すれば良いかを把握し易くすることができる。従って、所望のヒストリ見出語をいっそう見つけ易くすることができる。
【００６５】
また、図９のステップＳ１４，Ｓ２４や図１１〜図１６に示したように、ユーザ操作に基づいてカレンダ中の年、月、日、週及び曜日がそれぞれ指定暦項目として指定可能であるので、多様な暦項目を指定することができる。従って、所望のヒストリ見出語をいっそう見つけ易くすることができる。
【００６６】
なお、本発明を適用可能な実施形態は、上述した実施形態に限定されることなく、本発明の趣旨を逸脱しない範囲で適宜変更可能である。
【００６７】
例えば、本発明に係る情報表示装置を電子辞書１として説明したが、本発明が適用可能なものは、このような製品に限定されず、携帯電話、パソコンなどの電子機器全般に適用可能である。また、本発明に係る情報表示プログラム８１は、電子辞書１に対して着脱可能なメモリカード、ＣＤ等に記憶されることとしてもよい。
【００６８】
また、辞書データベース８４はＲＯＭ８０に記憶されることとして説明したが、電子辞書１に対して着脱可能なメモリカード、ＣＤ等に記憶されることとしてもよい。
【図面の簡単な説明】
【００６９】
【図１】本発明に係る情報表示装置を適用した電子辞書を示す平面図である。
【図２】サブディスプレイに表示されるカレンダを示す図である。
【図３】本発明に係る情報表示装置を適用した電子辞書の概略構成を示すブロック図である。
【図４】英和辞典等の辞書データベースの構造を示す図である。
【図５】英和辞典等の辞書データベースの構造を示す図である。
【図６】ヒストリテーブルの構造を示す図である。
【図７】ジャンル情報テーブルの構造を示す図である。
【図８】辞書検索処理の動作を示すフローチャートである。
【図９】辞書検索処理の動作を示すフローチャートである。
【図１０】辞書検索処理における表示内容を示す概念図である。
【図１１】辞書検索処理における表示内容等を示す概念図である。
【図１２】辞書検索処理における表示内容等を示す概念図である。
【図１３】辞書検索処理における表示内容等を示す概念図である。
【図１４】辞書検索処理における表示内容等を示す概念図である。
【図１５】辞書検索処理における表示内容等を示す概念図である。
【図１６】辞書検索処理における表示内容等を示す概念図である。
【符号の説明】
【００７０】
１      電子辞書（情報表示装置、コンピュータ）
１０    メインディスプレイ（表示手段、ヒストリ見出語一覧表示手段）
１１    サブディスプレイ（カレンダ表示手段、検索日識別表示手段、
ジャンル別検索日識別表示手段）
２０    ＣＰＵ（検索手段、ヒストリ見出語表示制御手段）
３０    入力部（見出語指定手段）
８１    情報表示プログラム
８４    辞書データベース（辞書記憶手段
８６    ヒストリテーブル（ヒストリ記憶手段、複数辞書ヒストリ記憶手段、
辞書種類ヒストリ記憶手段）
８７    ジャンル情報テーブル（ジャンル情報記憶手段）
１１０  タッチパネル（暦項目指定手段）
【図１】
2008210194.tif 000003
【図２】
2008210194.tif 000004
【図３】
2008210194.tif 000005
【図４】
2008210194.tif 000006
【図５】
2008210194.tif 000007
【図６】
2008210194.tif 000008
【図７】
2008210194.tif 000009
【図８】
2008210194.tif 000010
【図９】
2008210194.tif 000011
【図１０】
2008210194.tif 000012
【図１１】
2008210194.tif 000013
【図１２】
2008210194.tif 000014
【図１３】
2008210194.tif 000015
【図１４】
2008210194.tif 000016
【図１５】
2008210194.tif 000017
【図１６】
2008210194.tif 000018